(57)【要約】【課題】アンチショックソケットの提供。【解決手段】アンチショックソケットは、下殻体１０、上殻体５０、複数の導電端子２０、複数の絶縁停止板４０、複数の復位バネ６０を備え、下殻体１０は複数の収容槽１４を形成し、上殻体５０は下殻体１０上を蓋合し、上殻体５０上には複数の挿入接続孔５１を開設し、複数の導電端子２０は収容槽１４中に設置し、複数の絶縁停止板４０は下殻体１０上に設置し、上殻体５０と下殻体１０との間で回転でき、絶縁停止板４０上には複数の欠口槽４１を開設し、絶縁停止板４０は各欠口槽４１片側に対応して推力斜面４２を設置し、推力斜面４２は挿入接続孔５１と導電端子２０との間を可動状態で遮蔽し、複数の復位バネ６０は絶縁停止板４０と下殻体１０との間に設置する。【選択図】図４
0003159464.tif 000002
【実用新案登録請求の範囲】
【請求項１】
下殻体、上殻体、複数の導電端子、複数の絶縁停止板、複数の復位バネを備え、
前記下殻体は、複数の収容槽を形成し、
前記上殻体は、前記下殻体上を蓋合し、前記上殻体上には、複数の挿入接続孔を開設し、前記複数の導電端子は、前記収容槽中に設置し、
前記複数の絶縁停止板は、前記下殻体上に設置し、前記上殻体と前記下殻体との間で回転でき、
前記絶縁停止板上には、複数の欠口槽を開設し、前記絶縁停止板は、各欠口槽片側に対応して推力斜面を設置し、前記推力斜面は、前記挿入接続孔と前記導電端子との間を可動状態で遮蔽し、
前記複数の復位バネは、前記絶縁停止板と前記下殻体との間に設置することを特徴とするアンチショックソケット。
【請求項２】
前記絶縁停止板片側には、凸ブロックを突出状に設置し、
前記上殻体内には、複数の位置限定ブロックを設置し、
前記凸ブロックは、前記位置限定ブロック上に接触して押さえることを特徴とする請求項１に記載のアンチショックソケット。
【請求項３】
前記下殻体は、底板を備え、
前記底板の周囲辺縁は、上方へと側壁を延伸し、前記底板上は、複数の隔絶板を垂直に上方へと延伸し、
前記各隔絶板は取り囲んで、前記収容槽を形成することを特徴とする請求項１に記載のアンチショックソケット。
【請求項４】
前記アンチショックソケットはさらに、複数の停止板台を備え、
前記停止板台両端には、定位孔をそれぞれ開設し、
前記上殻体内側両端位置には、凸柱をそれぞれ下向きに突出状に設置し、前記凸柱上には、固定支持孔を設置し、
前記底板上には、複数の定位柱と複数の固定支持柱を垂直に延伸し、
前記停止板台は、前記定位柱を通して、前記定位孔中に挿入して設置され、こうして前記停止板台は、前記導電端子上に定位され、
前記固定支持柱は、前記固定支持孔において固定され支持されることを特徴とする請求項３に記載のアンチショックソケット。
【請求項５】
前記導電端子は、導電部、前記導電部一端から延伸して形成する固定支持部、前記導電部から湾曲状に延伸して形成する複数対のクリップ片を備えることを特徴とする請求項１に記載のアンチショックソケット。
【請求項６】
前記停止板台上には、復位バネ槽を開設し、
前記復位バネ槽中には、前記復位バネを設置し、
前記停止板台上には、中心柱が突出し、前記絶縁停止板は、前記中心柱を回転軸として回転することを特徴とする請求項４に記載のアンチショックソケット。
【考案の詳細な説明】
【技術分野】
【０００１】
本考案はソケットに関し、特にアンチショックソケット（Anti-Shock Socket）に関する。
【背景技術】
【０００２】
図１、２に示すように、アンチショックソケット１００’は、ソケット体１０’、絶縁停止板２０’、バネ３０’を備える。ソケット体１０’上には、挿入孔１１’とスライドレール１２’を開設する。プラグ(図示なし)未挿入時には、絶縁停止板２０’は、バネ３０’の推力により、ソケット体１０’両側に接触し、挿入孔１１’を遮蔽する。プラグが挿入されると、プラグ両端が同時に挿入される挿入力により、絶縁停止板２０’は、スライドレール１２’に沿って中央位置に向かいスライド移動する。こうして、挿入孔１１’は露出し、プラグを挿入孔１１’中に挿入することができる。
【０００３】
しかし、上記したアンチショックソケット１００’の絶縁停止板２０’のスライド設計では、プラグ挿入時に、絶縁停止板２０’は片側にだけ力を受けるため、受ける力が不均衡となり、反対側が跳ね上がり易い。このため上蓋と接触し、絶縁停止板２０’はスライド過程において、上蓋と下方のサポート物件との摩擦力、及びバネ３０’の抵抗力作用を受け、使用の際に比較的大きな力を加える必要がある。本考案は、従来のアンチショックソケットの上記した欠点に鑑みてなされたものである。
【考案の概要】
【考案が解決しようとする課題】
【０００４】
本考案が解決しようとする課題は、省力設計であるアンチショックソケットを提供することである。
【課題を解決するための手段】
【０００５】
上記課題を解決するため、本考案は下記のアンチショックソケットを提供する。
アンチショックソケットは、下殻体、上殻体、複数の導電端子、複数の絶縁停止板、複数の復位バネを備え、
該下殻体は、複数の収容槽を形成し、
該上殻体は、該下殻体上を蓋合し、該上殻体上には、複数の挿入接続孔を開設し、
該複数の導電端子は、該収容槽中に設置し、
該複数の絶縁停止板は、該下殻体上に設置し、該上殻体と該下殻体との間で回転でき、
該絶縁停止板上には、複数の欠口槽を開設し、該絶縁停止板は、各欠口槽片側に対応して推力斜面を設置し、該推力斜面は、該挿入接続孔と該導電端子との間を可動状態で遮蔽し、
該複数の復位バネは、該絶縁停止板と該下殻体との間に設置する。
【考案の効果】
【０００６】
本考案アンチショックソケットは、絶縁停止板の構造設計により、プラグが絶縁停止板に作用する力は、回転軸支点に相対して対称であるため、絶縁停止板が受ける力は均等になり、はね上がり、或いは挟まったりすることはなく、省力操作が可能である。
【図面の簡単な説明】
【０００７】
【図１】従来のアンチショックソケットにおいて、プラグ挿入前の状態を示す表示図である。
【図２】従来のアンチショックソケットにおいて、プラグ挿入後の状態を示す表示図である。
【図３】本考案アンチショックソケットの一実施例を示す立体図である。
【図４】図３に示すアンチショックソケットの立体分解図である。
【図５】図３に示すアンチショックソケットの上殻体と絶縁停止板の対応を示す立体図である。
【図６】図３に示すアンチショックソケットにおいて、プラグ挿入前の状態を示す立体図である。
【図７】図３に示すアンチショックソケットにおいて、プラグ挿入後の状態を示す立体図である。
【考案を実施するための形態】
【０００８】
以下に図面を参照しながら本考案を実施するための最良の形態について詳細に説明する。
【実施例】
【０００９】
図４に示すように、本考案アンチショックソケット１００は、下殻体１０、複数の導電端子２０、複数の停止板台３０、複数の絶縁停止板４０、上殻体５０を備える。
【００１０】
下殻体１０は、底板１１を備える。底板１１の周囲辺縁は、上方へと側壁１２を延伸する。底板１１上は、複数の隔絶板１３を垂直に上方へと延伸する。各隔絶板１３は取り囲んで、複数の収容槽１４を形成する。底板１１上にはさらに、複数の定位柱１５と複数の固定支持柱１６を垂直に延伸する。
【００１１】
導電端子２０は、収容槽１４中に設置する。導電端子２０は、細長い形状の導電部２１、導電部２１一端から延伸して形成する固定支持部２２、導電部２１から湾曲状に延伸して形成する複数対のクリップ片２３を備える。
【００１２】
停止板台３０は、導電端子２０上に定位し、おおよそ矩形の板状を呈する基板３５を備える。基板３５上には、プラグ２００を挿入して設置する２個の挿入孔３１を開設する。基板３５上には、復位バネ槽３２を開設する。復位バネ槽３２中では、中心柱３３が突出する。停止板台３０両端には、定位孔３４をそれぞれ開設する。
【００１３】
図４、６に示すように、絶縁停止板４０はおおよそ円盤状を呈し、絶縁停止板４０上には、対称の複数の欠口槽４１を開設する。絶縁停止板４０上の対応する各欠口槽４１片側には、推力斜面４２を設置する。絶縁停止板４０中心位置には、穿孔４３を開設し、絶縁停止板４０片側には、凸ブロック４４を突出状に設置する。
【００１４】
図５に示すように、上殻体５０上には、複数の挿入接続孔５１を開設する。上殻体５０内側両端位置には、凸柱５２をそれぞれ下向きに突出状に設置し、凸柱５２上には、固定支持孔５２１を設置する。上殻体５０内側は、複数の挿入接続孔５１外側に、複数の位置限定柱５３を設置し、挿入接続孔５１片側には、位置限定ブロック５４を突出状に設置する。
【００１５】
図３〜７に示すように、複数の導電端子２０は、収容槽１４中に設置する。停止板台３０は、定位柱１５を通して、定位孔３４中に挿入して設置し、こうして、導電端子２０上に定位する。停止板台３０の挿入孔３１は、導電端子２０のクリップ片２３位置に対応する。復位バネ６０は、復位バネ槽３２中に収容設置し、しかも絶縁停止板４０と下殻体１０との間に設置する。絶縁停止板４０は、停止板台３０の中心柱３３により、穿孔４３中に挿入して設置する。これにより、停止板台３０の上表面に定位し、しかも中心柱３３を回転軸として回転可能となる。絶縁停止板４０は、これにより下殻体１０上に可動状態を呈して設置する。推力斜面４２は、停止板台３０の挿入孔３１位置に対応し、しかも挿入接続孔５１と導電端子２０のクリップ片２３との間において、可動状態で位置する。上殻体５０は、下殻体１０上に蓋合し、固定支持柱１６は、上殻体５０の固定支持孔５２１中に挿入される。停止板台３０は、複数の位置限定柱５３上に接触して押さえ、絶縁停止板４０は、上殻体５０の下表面に接触して押さえる。絶縁停止板４０の凸ブロック４４は、位置限定ブロック５４上に接触して押さえる。
【００１６】
プラグ２００を挿入すると、プラグ２００は推力斜面４２に作用し、絶縁停止板４０は、中心柱３３を回転軸として回転する。プラグ挿入後は、絶縁停止板４０は一定程度まで回転し、プラグ２００は絶縁停止板４０の欠口槽４１中に入る。
【００１７】
上記したように、本考案アンチショックソケット１００は、絶縁停止板４０の構造設計により、プラグ２００が絶縁停止板４０に作用する力は、回転軸支点に相対して対称であるため、絶縁停止板４０が受ける力は均等になり、はね上がり、或いは挟まったりすることはなく、省力操作が可能である。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
１００  アンチショックソケット
１０  下殻体
１１  底板
１２  側壁
１３  隔絶板
１４  収容槽
１５  定位柱
１６  固定支持柱
２０  導電端子
２１  導電部
２２  固定支持部
２３  クリップ片
３０  停止板台
３１  挿入孔
３２  復位バネ槽
３３  中心柱
３４  定位孔
３５  基板
４０  絶縁停止板
４１  欠口槽
４２  推力斜面
４３  穿孔
４４  凸ブロック
５０  上殻体
５１  挿入接続孔
５２  凸柱
５２１  固定支持孔
５３  位置限定柱
５４  位置限定ブロック
６０  復位バネ
２００  プラグ
【図１】
0003159464.tif 000003
【図２】
0003159464.tif 000004
【図３】
0003159464.tif 000005
【図４】
0003159464.tif 000006
【図５】
0003159464.tif 000007
【図６】
0003159464.tif 000008
【図７】
0003159464.tif 000009